(57)【要約】  本明細書にはインタラクティブな印刷出版物が記載され、インタラクティブな印刷出版物は、インタラクティブな印刷出版物に印刷された複数のコンテンツセグメントと、インタラクティブな印刷出版物に印刷された複数の機械読み取り可能なコードとを含む。複数の機械読み取り可能なコードはそれぞれ、複数のコンテンツセグメントのうち少なくとも１つに関連付けられて隣接して配置され、複数の機械読み取り可能なコードはそれぞれ、コンピューティングデバイスとコンピューティングシステムの間の通信を開始するためにコンピューティングデバイスによって読み取られるとコンピューティングデバイスによって抽出可能なデータを含む。【選択図】  図１
2021508122.tif 000002
【特許請求の範囲】
【請求項１】
インタラクティブな印刷出版物であって、
前記インタラクティブな印刷出版物に印刷された複数のコンテンツセグメントと、
前記インタラクティブな印刷出版物に印刷された複数の機械読み取り可能なコードと、
を含み、
前記複数の機械読み取り可能なコードはそれぞれ、前記複数のコンテンツセグメントの少なくとも１つに関連付けられ、前記複数のコンテンツセグメントの少なくとも１つに隣接して配置され、
前記複数の機械読み取り可能なコードはそれぞれ、コンピューティングデバイスとコンピューティングシステムの間の通信を開始するために前記コンピューティングデバイスによって読み取られると前記コンピューティングデバイスによって抽出可能なデータを含むことを特徴とするインタラクティブな印刷出版物。
【請求項２】
前記複数の機械読み取り可能なコードはそれぞれ、ＱＲコード（登録商標）、１Ｄバーコード、２Ｄバーコード、及び３Ｄバーコードのうちの１つであることを特徴とする、請求項１に記載のインタラクティブな印刷出版物。
【請求項３】
前記インタラクティブな印刷出版物は、本、冊子、ポスター、及び紙の束のうちの１つであることを特徴とする、請求項１に記載のインタラクティブな印刷出版物。
【請求項４】
前記コンピューティングデバイスと前記コンピューティングシステムの間の通信を開始することは、前記コンピューティングデバイスによって取得されたデータの前記コンピューティングシステムへの配信を含むことを特徴とする、請求項１に記載のインタラクティブな印刷出版物。
【請求項５】
前記コンピューティングデバイスと前記コンピューティングシステムの間の通信を開始することは、前記コンピューティングシステムによって前記コンピューティングシステムからフォームを提供して、前記コンピューティングデバイスと対話するユーザからのフォーム入力の取得を可能にすることをさらに含むことを特徴とする、請求項４に記載のインタラクティブな印刷出版物。
【請求項６】
前記コンピューティングデバイスと前記コンピューティングシステムの間の通信を開始することは、前記コンピューティングシステムと前記コンピューティングデバイスの間の音声会議及びビデオ会議のいずれかを開始することを含むことを特徴とする、請求項１に記載のインタラクティブな印刷出版物。
【請求項７】
前記コンピューティングデバイスと前記コンピューティングシステムの間の通信を開始することは、前記コンピューティングシステムによる前記コンピューティングデバイスへの、仮想現実（ＶＲ）、拡張現実（ＡＲ）、３６０画像、３６０ビデオ、２Ｄ画像、２Ｄビデオ、３Ｄ画像、及び３Ｄビデオコンテンツのうちの少なくとも１つの配信を含むことを特徴とする、請求項１に記載のインタラクティブな印刷出版物。
【請求項８】
前記コンピューティングシステムから受信されたＡＲコンテンツを使用して前記コンピューティングシステム上で生成されたＡＲシーンは、前記コンピューティングシステムに伝達されることを特徴とする、請求項７に記載のインタラクティブな印刷出版物。
【請求項９】
前記コンピューティングデバイスと前記コンピューティングシステムの間の通信を開始することは、位置データ、インターネットプロトコル（ＩＰ）アドレス、前記コンピューティングデバイスのユーザのユーザデータ、及び前記コンピューティングデバイスのデバイスデータのうち少なくとも１つを、前記コンピューティングシステムへ伝達することを含むことを特徴とする、請求項１に記載のインタラクティブな印刷出版物。
【請求項１０】
前記コンピューティングデバイスは、スマートフォン、スマートタブレット、及びノートブックコンピュータのうちの１つであり、
前記複数のコンテンツセグメントはそれぞれ、言葉、図面、画像、及びグラフィックマークのうちの少なくとも１つを含むことを特徴とする、請求項１に記載のインタラクティブな印刷出版物。
【請求項１１】
印刷出版物を提供するステップと、
複数の機械読み取り可能なコードの１つを読み取るステップと、
を含むコンテンツ通信方法であって、
前記印刷出版物は、
前記印刷出版物に印刷された複数のコンテンツセグメントと、
前記印刷出版物に印刷された前記複数の機械読み取り可能なコードと、
を含み、
前記複数の機械読み取り可能なコードはそれぞれ、前記複数のコンテンツセグメントの少なくとも１つに関連付けられ、前記複数のコンテンツセグメントの少なくとも１つに隣接して配置され、
前記複数の機械読み取り可能なコードはそれぞれ、コンピューティングデバイスによって読み取られると前記コンピューティングデバイスによって抽出可能なデータを含み、
前記複数の機械読み取り可能なコードの１つは、前記コンピューティングデバイスとコンピューティングシステムの間の通信を開始するため前記複数の機械読み取り可能なコードの１つからデータを抽出するために読み取られることを特徴とするコンテンツ通信方法。
【請求項１２】
前記複数の機械読み取り可能なコードはそれぞれ、ＱＲコード（登録商標）、１Ｄバーコード、２Ｄバーコード、及び３Ｄバーコードのうちの１つであることを特徴とする、請求項１１に記載のコンテンツ通信方法。
【請求項１３】
前記インタラクティブな印刷出版物は、本、冊子、ポスター、及び紙の束のうちの１つであることを特徴とする、請求項１１に記載のコンテンツ通信方法。
【請求項１４】
前記コンピューティングデバイスと前記コンピューティングシステムの間の通信を開始することは、前記コンピューティングデバイスによって取得されたデータの前記コンピューティングシステムへの配信を含むことを特徴とする、請求項１１に記載のコンテンツ通信方法。
【請求項１５】
前記コンピューティングデバイスと前記コンピューティングシステムの間の通信を開始することは、前記コンピューティングシステムによって前記コンピューティングシステムからフォームを提供して、前記コンピューティングデバイスと対話するユーザからのフォーム入力の取得を可能にすることをさらに含むことを特徴とする、請求項１４に記載のコンテンツ通信方法。
【請求項１６】
前記コンピューティングデバイスと前記コンピューティングシステムの間の通信を開始することは、前記コンピューティングシステムと前記コンピューティングデバイスの間の音声会議及びビデオ会議のいずれかを開始することを含むことを特徴とする、請求項１１に記載のコンテンツ通信方法。
【請求項１７】
前記コンピューティングデバイスと前記コンピューティングシステムの間の通信を開始することは、前記コンピューティングシステムによる前記コンピューティングデバイスへの、仮想現実（ＶＲ）、拡張現実（ＡＲ）、３６０画像、３６０ビデオ、２Ｄ画像、２Ｄビデオ、３Ｄ画像、及び３Ｄビデオコンテンツのうちの少なくとも１つの配信を含むことを特徴とする、請求項１１に記載のコンテンツ通信方法。
【請求項１８】
前記コンピューティングシステムから受信されたＡＲコンテンツを使用して前記コンピューティングシステム上で生成されたＡＲシーンは、前記コンピューティングシステムに伝達されることを特徴とする、請求項１７に記載のコンテンツ通信方法。
【請求項１９】
前記コンピューティングデバイスと前記コンピューティングシステムの間の通信を開始することは、位置データ、インターネットプロトコル（ＩＰ）アドレス、前記コンピューティングデバイスのユーザのユーザデータ、及び前記コンピューティングデバイスのデバイスデータのうち少なくとも１つを、前記コンピューティングシステムへ伝達することを含むことを特徴とする、請求項１１に記載のコンテンツ通信方法。
【請求項２０】
前記コンピューティングデバイスは、スマートフォン、スマートタブレット、及びノートブックコンピュータのうちの１つであり、
前記複数のコンテンツセグメントはそれぞれ、言葉、図面、画像、及びグラフィックマークのうちの少なくとも１つを含むことを特徴とする、請求項１１に記載のコンテンツ通信方法。
【請求項２１】
インタラクティブな印刷出版物と、
コンピューティングデバイスと、
を備えるコンテンツ通信システムであって、
前記インタラクティブな印刷出版物は、
前記インタラクティブな印刷出版物に印刷された複数のコンテンツセグメントと、
前記インタラクティブな印刷出版物に印刷された複数の機械読み取り可能なコードと、
を含み、
前記複数の機械読み取り可能なコードはそれぞれ、前記複数のコンテンツセグメントの少なくとも１つに関連付けられ、前記複数のコンテンツセグメントの少なくとも１つに隣接して配置され、
前記コンピューティングデバイスは、前記複数の機械読み取り可能なコードのうち選択された１つからデータを読み取り抽出して、前記コンピューティングデバイスとコンピューティングシステムの間の通信を開始することを特徴とするコンテンツ通信システム。
【発明の詳細な説明】
【技術分野】
【０００１】
本発明は、概して、インタラクティブな（対話型）印刷出版物とそれを介したコンテンツ配信のためのシステム及び方法に関する。
【背景技術】
【０００２】
現代の印刷出版物（例えば、本やパンフレットなど）は、対話性（双方向性）に制限がある。出版社は、自費出版の記事及び本であっても、通常、電子メールアドレス、ウェブページアドレス、又はソーシャルメディアアドレス（例えば、Ｆａｃｅｂｏｏｋのアドレスなど）を含めて、出版物の読者がフィードバック又はコメントを送信できるようにする。しかし、出版物の特定部分の読書中に引き起こされた感情又は考えは、読者が出版物の発行者又は著者に送信するためのコメントを作成できるようになる前に、読者が例えば本の終わりに到達するまで休止又は待機すると、衰退又は変化する可能性がある。さらに、そのような方法で提供されたコメントは、読者が出版物の読書中に自身の考えとその考えに対応する出版物の部分に懸命に注意を払わない限り、通常、出版物の特定部分に向けられない。さらに、読者が休止してＧｏｏｇｌｅ又はＹｏｕＴｕｂｅ（登録商標）にアクセスして必要な情報を見つける必要がある出版物の特定部分について詳しく知りたいが、最適な情報及びコンテンツがどこにありそうか分からないという可能性がある。したがって、上述の課題に対処するための出版物及びコンテンツ通信アプローチの必要性がある。
【発明の概要】
【０００３】
本発明の第１の態様によれば、インタラクティブな印刷出版物が開示される。インタラクティブな印刷出版物は、インタラクティブな印刷出版物に印刷された複数のコンテンツセグメントと、インタラクティブな印刷出版物に印刷された複数の機械読み取り可能なコードとを含む。複数の機械読み取り可能なコードはそれぞれ、複数のコンテンツセグメントの少なくとも１つに関連付けられ、複数のコンテンツセグメントの少なくとも１つに隣接して配置され、複数の機械読み取り可能なコードはそれぞれ、コンピューティングデバイスとコンピューティングシステムの間の通信を開始するためにコンピューティングデバイスによって読み取られるとコンピューティングデバイスによって抽出可能なデータを含む。
【０００４】
本発明の第２の態様によれば、コンテンツ通信方法が開示される。コンテンツ通信方法は、印刷出版物を提供するステップを含み、印刷出版物は、印刷出版物に印刷された複数のコンテンツセグメントと、印刷出版物に印刷された複数の機械読み取り可能なコードとを含む。複数の機械読み取り可能なコードはそれぞれ、複数のコンテンツセグメントの少なくとも１つに関連付けられ、複数のコンテンツセグメントの少なくとも１つに隣接して配置され、複数の機械読み取り可能なコードはそれぞれ、コンピューティングデバイスによって読み取られるとコンピューティングデバイスによって抽出可能なデータを含む。コンテンツ通信方法は、コンピューティングデバイスとコンピューティングシステムの間の通信を開始するため複数の機械読み取り可能なコードの１つからデータを抽出するために複数の機械読み取り可能なコードの１つを読み取るステップをさらに含む。
【０００５】
本発明の第３の態様によれば、インタラクティブな印刷出版物を備えるコンテンツ通信システムが開示される。インタラクティブな印刷出版物は、インタラクティブな印刷出版物に印刷された複数のコンテンツセグメントと、インタラクティブな印刷出版物に印刷された複数の機械読み取り可能なコードとを含む。複数の機械読み取り可能なコードはそれぞれ、複数のコンテンツセグメントの少なくとも１つに関連付けられ、複数のコンテンツセグメントの少なくとも１つに隣接して配置される。コンテンツ通信システムはコンピューティングデバイスをさらに備える。コンピューティングデバイスは、複数の機械読み取り可能なコードのうち選択された１つからデータを読み取り抽出して、コンピューティングデバイスとコンピューティングシステムの間の通信を開始する。
【図面の簡単な説明】
【０００６】
【図１】本発明の一態様の本の例示的なページとして、インタラクティブな印刷出版物を示し、複数のコンテンツセグメント及び複数の機械読み取り可能なコードを含む。
【図２】図２のインタラクティブな印刷出版物を実施するための、本発明の別の態様のコンテンツ通信方法の処理フロー図を示す。
【図３】本発明のさらなる態様のコンテンツ通信システムの部分システム図を示し、図１のインタラクティブな印刷出版物と、例示的なコンピューティングデバイスと、コンピューティングシステムとして機能する制御コンピュータシステムと、コンピューティングシステムとして機能する第２のコンピューティングデバイスとを含む。
【図４】図１のインタラクティブな印刷出版物の例示的なページを示し、ビデオストリームメディアコンテンツの配信を通じて通信を開始する機械読み取り可能なコードと、図３のコンピューティングデバイス上に表示されたユーザからのフィードバック及びコメントを取得するためのフォームとを含む。
【図５】図１のインタラクティブな印刷出版物の例示的なページを示し、ビデオストリームメディアコンテンツの配信を通じて通信を開始する機械読み取り可能なコードと、ユーザからのフィードバック及びコメントを取得するフォームと、画像メディアコンテンツのビデオストリームの配信を通じて通信を開始する別の機械読み取り可能なコードと、図３のコンピューティングデバイス上に表示されたユーザからのフィードバック及びコメントを取得するフォームとを含む。
【図６】図１のインタラクティな印刷出版物の例示的なページを示し、音声記録メディアコンテンツの配信を通じて通信を開始する機械読み取り可能なコードと、図３のコンピューティングデバイス上に表示されたユーザからのフィードバック及びコメントを取得するためのフォームとを含む。
【図７】図１のインタラクティブな印刷出版物の例示的なページを示し、図３のコンピューティングデバイスを介してテキストコンテンツの配信を通じて通信を開始する機械読み取り可能なコードを含む。
【図８】図１のインタラクティブな印刷出版物の例示的なページを示し、図３のコンピューティングデバイス上に表示されたウェブページ／インターネットコンテンツの配信を通じて通信を開始する機械読み取り可能なコードを含む。
【発明を実施するための形態】
【０００７】
図１〜図８を参照して、本発明の例示的な実施形態である、コンテンツ通信システム２００を作動させるためのコンテンツ通信方法１００を利用するインタラクティブな印刷出版物２０について、以下説明する。
【０００８】
図３は、本開示の実施を実行可能なコンテンツ通信システム２００の例示的なシステムアーキテクチャを示す。コンテンツ通信システム２００は、ユーザに関連付けられたコンピューティングデバイス２２と、制御コンピュータシステム２４とを含んでもよい。コンピューティングデバイス２２は、ネットワーク２６を介して１つ又はそれ以上の制御コンピュータシステム２４と通信してもよい。各制御コンピュータシステム２４は、１つ又はそれ以上のサーバ２８と、１つ又はそれ以上のデータストア３０とを備えてもよい。幾つかの実施形態において、コンテンツ通信システム２００は、ネットワーク２６を介して互いに通信するために接続的につながれる１つ又はそれ以上のクライアントを備える複数のコンピュータシステム（例えば、制御コンピュータシステム２６等）をサポートするクライアント／サーバシステムを表してもよい。
【０００９】
コンピューティングデバイス２２は、デスクトップコンピュータ、ラップトップコンピュータ、ハンドヘルドコンピュータ、携帯情報端末（ＰＤＡ）、ノートブックコンピュータ、スマートフォン、スマートタブレット、携帯電話、ネットワークアプライアンス、カメラ、スマートフォン、スマートデバイス、スマートタブレット、強化汎用パケット無線サービス（ＥＧＰＲＳ）携帯電話、メディアプレーヤ、ナビゲーションデバイス、電子メールデバイス、ゲームコンソール、或いは、これらのデータ処理デバイス又は他のデータ処理デバイスのうち任意の２つ又はそれ以上の組み合わせを含むがこれらに限定されない様々な形態の処理デバイスを表してもよい。コンピューティングデバイス２２は、１つ又はそれ以上の制御コンピュータシステム２４上のアプリケーションソフトウェアにアクセスしてもよい。コンピューティングデバイス２２は、統合された画像取得手段（例えば、カメラ等）を備えるか、或いは、画像取得デバイス（例えば、カメラ又はカメラが組み込まれた別のスマートデバイス等）とペアリング、適合、又はデータ通信できることが非常に好ましい。
【００１０】
制御コンピュータシステム２６は、ウェブサーバ、アプリケーションサーバ、プロキシサーバ、ネットワークサーバ、又はサーバファームを含むがこれらに限定されない様々な形態のサーバシステムを表してもよい。例えば、１つ又はそれ以上のサーバ２８は、コンピューティングデバイス２２によってアクセスされるソフトウェアを実行するアプリケーションサーバであってもよい。幾つかの実施形態において、ユーザは、クライアント（例えば、コンピューティングデバイス２２等）で実行されるウェブブラウザ又はモバイルアプリケーションにおいて１つ又はそれ以上のサーバ２８で利用可能なアプリケーションを起動してもよい。
【００１１】
幾つかの実施形態において、コンピューティングデバイス２２は、通信インターフェース（図示略）を介して無線で通信してもよく、通信インターフェースは、必要に応じてデジタル信号処理回路を含んでもよい。通信インターフェースは、様々なモード又はプロトコルの下での通信を提供してもよく、様々なモード又はプロトコルは、例えば、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ）、音声通話、Ｓｈｏｒｔ  Ｍｅｓｓａｇｅ  Ｓｅｒｖｉｃｅ（ＳＭＳ）、Ｅｎｈａｎｃｅｄ  Ｍｅｓｓａｇｉｎｇ  Ｓｅｒｖｉｃｅ（ＥＭＳ）、Ｍｕｌｔｉｍｅｄｉａ  Ｍｅｓｓａｇｉｎｇ  Ｓｅｒｖｉｃｅ（ＭＭＳ）メッセージング、符号分割多元接続（ＣＤＭＡ）、時分割多元接続（ＴＤＭＡ）、Ｐｅｒｓｏｎａｌ  Ｄｉｇｉｔａｌ  Ｃｅｌｌｕｌａｒ（ＰＤＣ）、広帯域符号分割多元接続（ＷＣＤＭＡ（登録商標））、ＣＤＭＡ２０００、又は汎用パケット無線システム（ＧＰＲＳ）などである。例えば、通信は、無線周波数トランシーバ（図示略）を介して行われてもよい。さらに、Ｂｌｕｅｔｏｏｔｈ、ＷｉＦｉ、又は他のそのようなトランシーバなどを使用するなどして、短距離通信が行われてもよい。
【００１２】
ネットワーク２６は、例えばローカルエリアネットワーク（ＬＡＮ）、ワイドエリアネットワーク（ＷＡＮ）、インターネット、セルラーネットワーク、又はこれらのうちの組み合わせなどの大きなコンピュータネットワークであり、任意の数のモバイルクライアント、固定クライアント、及び／又はサーバを接続してもよい。幾つかの実施形態において、各クライアント（例えば、コンピューティングデバイス２２等）は、仮想プライベートネットワーク（ＶＰＮ）、セキュアシェル（ＳＳＨ）トンネル、又は他のセキュアネットワーク接続を介して、１つ又はそれ以上の制御コンピュータシステム２６と通信してもよい。幾つかの実施形態において、ネットワーク３０は、インターネット、無線サービスネットワークを含んでもよく、公衆交換電話網（ＰＳＴＮ）を含んでもよい。他の実施形態において、ネットワーク３０は、企業ネットワーク（例えば、イントラネット等）及び１つ又はそれ以上の無線アクセスポイントを含んでもよい。
【００１３】
コンピューティングデバイス２２は、制御コンピュータシステム２６と自身とのセッションを確立してもよい。各セッションは、制御コンピュータシステム２４とコンピューティングデバイス２２の間の双方向情報交換を含んでもよい。例えば、ハイパーテキスト転送プロトコル（ＨＴＴＰ）セッションが情報と個々のユーザとを関連付けることが可能であってもよい。セッションはステートフルセッションであってもよく、ステートフルセッションにおいて、通信可能な部分（例えば、制御コンピュータシステム２４又はコンピューティングデバイス２２等）の少なくとも１つが、通信できるようにするために、セッション履歴に関する情報を保存してもよい。または、ステートレスセッション中のステートレス通信は、関連する応答を伴う独立した要求を含む。
【００１４】
図１、図４から図８に示すように、本発明の実施形態において、インタラクティブな印刷出版物２０は、インタラクティブな印刷出版物２０に印刷された複数のコンテンツセグメント３２と、インタラクティブな印刷出版物２０に印刷された複数の機械読み取り可能なコード３４とを含む。複数の機械読み取り可能なコード３４はそれぞれ、複数のコンテンツセグメント３２の少なくとも１つに関連付けられて隣接して配置される。複数の機械読み取り可能なコード３４はそれぞれ、コンピューティングデバイス２２とコンピューティングシステム３６の間で通信を開始するためにコンピューティングデバイスによって読み取られるとコンピューティングデバイス２２によって抽出可能なデータを含む。コンピューティングシステム３６は、好ましくは、コンテンツ又はデータがそれから導出され、それに提供され、又は通信される制御コンピュータシステム２４又は同様のシステムである。追加的又は代替的に、コンピューティングシステム３６は、別のコンピューティングデバイス（明確にするために、第２のコンピューティングデバイス３８ともいう）であり、コンピューティングデバイス２２は、コンテンツ又はデータを直接又は制御コンピュータシステム２４を介して第２のコンピューティングデバイス３８と通信する。
【００１５】
好ましくは、インタラクティブな印刷出版物２０は、本、パンフレット、冊子、ポスター、及び紙の束のうちの１つである。さらに、複数の機械読み取り可能なコード３４はそれぞれ、ＱＲコード（登録商標）、１Ｄバーコード、２Ｄバーコード、及び３Ｄバーコードのうちの１つであり、複数のコンテンツセグメント３２はそれぞれ、言葉、図面、画像、及びグラフィックマークのうちの少なくとも１つを含む。例えば、インタラクティブな印刷出版物２０は、複数のコンテンツセグメント３２のうち１つを構成する一連の戯画を含む少なくとも１つのページを有し、さらに、戯画に隣接して配置され、複数の機械読み取り可能なコード３４のうち１つ又はそれ以上を構成する１つ又はそれ以上のＱＲコード（登録商標）を含む本であってもよい。本における戯画とそれぞれの戯画に関連付けられたＱＲコード（登録商標）との配置は、本形式、ＱＲ本形式、又はＱＲＢ形式ともいう。
【００１６】
図２を参照すると、コンテンツ通信システム２００を形成するためにインタラクティブな印刷出版物２０を利用する際に、コンテンツ通信方法１００が、ステップ１１０でインタラクティブな印刷出版物２０を提供又は利用可能にすることによって、開始する。次に、ステップ１１２で、複数の機械読み取り可能なコード３４のうちの１つが、そこからデータを抽出するため、コンピューティングデバイス２２の画像取得手段によって読み取られる。該データにより、通信を行うコンピューティングシステム２４、又は、コンピューティングシステム２４がどのように識別されるか（例えば、ＵＲＬ及び／又はＩＰ（インターネットプロトコル）アドレス等）が指定又は識別されると、ステップ１１４で、コンピューティングデバイス２２とコンピューティングシステム２４との通信が、開始される。
【００１７】
図４から図６を参照すると、コンピューティングデバイス２２とコンピューティングシステム２４の間の通信を開始するステップ１１４は、コンピューティングデバイス２２によって取得されたデータ又はコンテンツのコンピューティングシステム２４への配信を含む。データ配信は、コンピューティングシステム２４によってコンピューティングシステム２４からフォーム３９ａを提供して、コンピューティングシステム２２と対話するユーザからのフォーム入力、つまり、フォーム３９ａ内の様々なフィールドからの入力データの取得を可能にすることを含んでもよい。コンピューティングデバイス２２での入力のためにユーザに提示されるフォーム３９ａは、フィードバック又はコメントフォーム３９ａであってもよく、或いは、コンピューティングデバイス２２によって読み取られた、空間的に隣接する複数の機械読み取り可能なコード３４のそれぞれ１つに関連付けられた、複数のコンテンツセグメント３２の１つへのフィードバック又はコメントを取得してもよい。
【００１８】
フォーム３９ａは、ウェブブラウザを介して、アプリケーションでネイティブに提示されてもよく、或いは、ハイブリッドインスタンスを個別に又は１つ又はそれ以上のメディアコンテンツ３９ｂなど（例えば、ビデオストリーム、テキスト記事、及び／又はモデル化されたシーンのＶＲシーン、又はＶＲカメラ又は３６０カメラで取得されたシーン等）と共に有してもよい。フォーム３９ａは、対応する機械読み取り可能なコード３４によって指定されるような特定の電子メールアドレスに送信するための電子メールを作成するためのインターフェースであってもよい。コメント、つまりデータがユーザから取得されると、コメントは、好ましくは、対話中にユーザ又はコンピューティングデバイス２２から取得された他の情報（例えば、コメントが取得された日時、ユーザの識別子（ＩＤ）及び／又はプロファイル、コンピューティングデバイス２２の位置及び／又はコンピューティングデバイス２２のＩＰアドレス、及び取得されたコメント又はデータが意図される特定の戯画又は複数のコンテンツセグメント３２のうちの１つ等）と共に、コンピューティングシステム２４に送り返される。最後の例を達成するためには、複数のコンテンツセグメント３２はそれぞれ、例えば、コンピューティングシステム２４に存在するルックアップテーブルなどによって、複数の機械読み取り可能なコード３４のうち１つ又はそれ以上と関連付けられる一意の識別子を有するであろう。
【００１９】
コンピューティングデバイス２２とコンピューティングシステム２４の間の通信を開始するステップ１１４は、代替的又は追加的に、コンピューティングシステム２４とコンピュータデバイス２２の間の音声会議及びビデオ会議のいずれかを開始することを含む。例えば、ステップ１１４は、Ｓｋｙｐｅ、Ｖｉｂｅｒ、ＷｅＣｈａｔ、ＳｎａｐＣｈａｔ、Ｃｉｓｃｏ  ＷｅｂＥｘ、又はＧｏｏｇｌｅ  Ｈａｎｇｏｕｔ等で、コンピューティングシステム２４とコンピュータデバイス２２の間で音声会議又はビデオ会議を開始する。コンピューティングデバイス２２のユーザのため音声会議又はビデオ会議を開始するには、応答者がコンピューティングシステム２４を管理する必要があることに留意されたい。したがって、音声会議又はビデオ会議の継続的な可用性のために、コンピューティングシステム２４は、それぞれの通信デバイスでの応答者のグループの可用性を監視してもよく、ステップ１１４で開始された音声会議又はビデオ会議のコールを、いずれかの応答者がコールに応答することができない場合に、所定のシーケンスに基づいて、次の利用可能な応答者のデバイスに転送してもよい。コンピューティングシステム２４は、応答者の１人又は全てが利用できない場合、音声又はビデオの記録を開始するか、又は、音声又はビデオの記録に切り替えるオプションを提供してもよい。追加的又は代替的に、音声通信は、コンピューティングデバイス２２と、コンピューティングシステム２４上の又はコンピューティングシステム２４によってそれに転送された、対話型音声応答装置（ＩＶＲ）との間で開始されてもよい。音声会議又はビデオ会議のコールの転送方法の管理は、好ましくは、コンピューティングシステム２４にあるネイティブ又はハイブリッドのアプリケーション、又は、コンピューティングシステム２４を形成する又は音声会議又はビデオ会議のコールの開始に使用される、応答者によって保持される別のコンピューティングデバイスを使用して、応答者が利用可能ステータス（例えば、「利用可能」と「利用不可」のステータス等）を切り替えることを可能にしてもよい。
【００２０】
コンピューティングデバイス２２とコンピューティングシステム２４の間の通信を開始するステップ１１４は、代替的又は追加的に、コンピューティングシステム２４によるコンピューティングデバイス２２への、仮想現実（ＶＲ）、拡張現実（ＡＲ）、３６０画像、３６０ビデオ、２Ｄ画像、２Ｄビデオ、３Ｄ画像、及び３Ｄビデオコンテンツのうちの少なくとも１つの配信を含む。ＡＲコンテンツは、コンピューティングシステム２４からコンピューティングデバイス２２に配信された場合に、コンピューティングデバイス２２の撮像手段によって取得された現実世界のシーンを使用して増強するためのものである。
【００２１】
例えば、有名人の画像を含むＡＲコンテンツが、コンピューティングデバイス２２上に取得されたシーンを使用して増強するためにコンピューティングデバイス２２に配信されて、コンピューティングデバイス２２のユーザが有名人と「自撮り集合写真を撮る」ことが可能とされてもよい。コンピューティングシステム２４から受信されたＡＲコンテンツを使用してコンピューティングシステム２２上で生成されたＡＲシーンは、コンピューティングシステム２４に伝達されることが好ましい。コンピューティングデバイス２２の例であるほとんどのスマートデバイス及びモバイルデバイスは、開発者がＡＲベースのアプリケーションを作成するためのソフトウェア開発キット（ＳＤＫ）をリリースする業界リーダー（例えば、Ａｐｐｌｅ、Ｇｏｏｇｌｅ、Ｍｉｃｒｏｓｏｆｔ等）と共にＡＲ機能を使用して開発されるべきであり、インタラクティブな出版印刷物２０における機械読み取り可能なコード３４の使用、及びその結果としてコンテンツ通信システム２００は、必要に応じて、ユーザがコンテンツ通信をＡＲコンテンツと直接関連付けてトリガすることを可能にし、これにより、隣接して配置された複数のコンテンツセグメント３２及び複数の機械読み取り可能なコード３４を有するインタラクティブな印刷出版物２０の構成によりオンデマンドのコンテンツ通信（例えば、オンデマンドのＡＲコンテンツ通信等）が可能になるであろう。
【００２２】
例えば、３６０（３６０度ともいう）画像及びビデオは、例えばＤｅｔｕ、Ｇｅａｒ  ３６０、Ｆａｃｅｂｏｏｋなどの様々なプラットフォームを通じて、専用の３６０カメラから又はＧｏＰｒｏカメラアレイのような広角カメラ又は通常のカメラのアレイから取得された、事前合成されたシーン又はビデオを使用して配信されてもよい。２Ｄビデオコンテンツは、例えばＶｉｍｅｏ、ＹｏｕＴｕｂｅ（登録商標）などのプラットフォームを通じて配信されてもよい。例えば、複数のコンテンツセグメント３２のうち１つである有名なＴＶパーソナリティの戯画又は画像に隣接して配置された、複数の機械読み取り可能なコード３４の１つであるＱＲコード（登録商標）は、コンピューティングシステム２２によってスキャンされて抽出された場合に、それを使用して通信を指示、開始するデータであって、ＴＶパーソナリティが歌っているビデオを可能にするためのデータを含み、コンピューティングシステムによってコンピューティングデバイス２２にストリーミングされてもよい。ＴＶパーソナリティが歌っているビデオはまた、コンピューティングシステム２４が指示できる、又は、スキャンされたＱＲコード（登録商標）から抽出されたデータが指示できる、例えばＹｏｕＴｕｂｅ（登録商標）などのプラットフォーム上で利用可能であってもよい。
【００２３】
コンピューティングデバイス２２を使用せずに機械読み取り可能なコード３４からのデータを解釈することは難しいので、複数のアイコン４０はそれぞれ、それによって開始される通信のタイプをグラフィカルに示し、例えばＱＲコード（登録商標）の中心の小さなセグメントをグラフィカルに装飾することによって、機械読み取り可能なコード３４に組み込まれてもよい。アイコンは、例えば、通信を表す万年筆のペン先の輪郭を有し、インタラクティブな印刷出版物２０上の画像、戯画、又は言葉上でコンピューティングデバイス２２を使用してコンピューティングシステム２４にコメントを提供できるようにする。「再生」ボタンの記号は、コンピューティングシステム２４から、又はＹｏｕＴｕｂｅ（登録商標）のようなビデオホスティングプラットフォームからのビデオ又は音声の記録のストリーミングを示す。
【００２４】
コンテンツ配信のための前述の方法１００及びシステムにより、インタラクティブな印刷出版物２０の使用を介したコンピューティングデバイス２２とコンピューティングシステム２４の間の通信に関するデータ及び情報が、取得、追跡、分析されてもよい。コンテンツ通信から生成されたデータに対して様々な分析が実行されて、そこから有意義な分析が導出されてもよい。
【００２５】
コンテンツ通信システム２００を構成し、コンテンツ通信方法２００を介して実行されるインタラクティブな印刷出版物２０の前述の開示により、従来、発行者／著者から読者への単一方向コンテンツ配信のみを可能としていた単純な印刷出版物又は本が、出版物／本のユーザ／読者と出版社／著者の両方との双方向通信を行うことが可能になる。
【００２６】
さらに、コンテンツ通信システム２００（ＱＲＢプラットフォームともいう）を介した、本の形式のインタラクティブ印刷出版物２０（ＱＲＢともいう）の実施は、新しい業界標準プロトコルを作成して、従来の出版社に手頃な解決策を提供し、ＡＲシーンにおける複数の機械読み取り可能なコード３４を構成するバーコード又はジオメトリに基づいて電子コンテンツを作成できるようにする。
【００２７】
さらに、複数のコンテンツセグメント３２のうち１つ又はそれ以上にそれぞれ関連付けられた複数の機械読み取り可能なコード３４を構成するＱＲコード（登録商標）とＡＲテクノロジーとの組み合わせによるＱＲＢプロトコルにより、一連のユーティリティを統合して、ＡＲのコンテンツ、又はプライバシーのトレードオフなしのＱＲＢの出版社とエンドユーザ間の最初の通信（コミュニケーション）を、自動的にデコードすることが可能になる。ＱＲＢ及びＱＲＢプロトコルは、（機械読み取り可能なコード３４を取得するため）モバイルの全ての組み込みカメラを十分に利用し、追加のソフトウェアアプリケーションをダウンロード又はインストールする必要がなく、モバイルデバイス（つまり、コンピューティングデバイス２２）がそのままＱＲＢを使用して作動する。
【００２８】
本開示の特定の実施形態の態様は、従来の印刷出版物、コンテンツ通信システム及び方法に関連する少なくとも１つの態様、課題、制限、及び／又は不利益に対処する。特定の実施形態に関連する特徴、態様、及び／又は利点が本開示で説明されたが、他の実施形態もそのような特徴、態様、及び／又は利点を示してもよく、全ての実施形態が必ずしもそのような特徴、態様、及び／又は利点を示す必要はなく、本開示の範囲内に入る。上記で開示された構造、構成要素、又はそれらの代替物の幾つかは、望ましくは、代替の構造、構成要素、及び／又は応用に組み合わせられてもよいことが、当業者によって理解されるであろう。さらに、以下の請求項によってのみ制限される本開示の範囲内で、当業者によって開示される様々な実施形態に対して様々な修正、変更、及び／又は改善が行われてもよい。
【図１】
2021508122.tif 000003
【図２】
2021508122.tif 000004
【図３】
2021508122.tif 000005
【図４】
2021508122.tif 000006
【図５】
2021508122.tif 000007
【図６】
2021508122.tif 000008
【図７】
2021508122.tif 000009
【図８】
2021508122.tif 000010
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
インタラクティブな印刷出版物であって、
前記インタラクティブな印刷出版物に印刷された複数のコンテンツセグメントと、
前記インタラクティブな印刷出版物に印刷された複数の機械読み取り可能なコードと、
を含み、
前記複数の機械読み取り可能なコードはそれぞれ、前記複数のコンテンツセグメントの少なくとも１つに関連付けられ、前記複数のコンテンツセグメントの少なくとも１つに隣接して配置され、
前記複数の機械読み取り可能なコードはそれぞれ、コンピューティングデバイスとコンピューティングシステムの間の通信を開始するために前記コンピューティングデバイスによって読み取られると前記コンピューティングデバイスによって抽出可能なデータを含むことを特徴とするインタラクティブな印刷出版物。
【請求項２】
前記複数の機械読み取り可能なコードはそれぞれ、ＱＲコード（登録商標）、１Ｄバーコード、２Ｄバーコード、及び３Ｄバーコードのうちの１つであり、
前記インタラクティブな印刷出版物は、本、冊子、ポスター、及び紙の束のうちの１つであり、
前記コンピューティングデバイスは、スマートフォン、スマートタブレット、及びノートブックコンピュータのうちの１つであり、
前記複数のコンテンツセグメントはそれぞれ、言葉、図面、画像、及びグラフィックマークのうちの少なくとも１つを含むことを特徴とする、請求項１に記載のインタラクティブな印刷出版物。
【請求項３】
前記コンピューティングデバイスと前記コンピューティングシステムの間の通信を開始することは、
前記コンピューティングデバイスによって取得されたデータの前記コンピューティングシステムへの配信と、
前記コンピューティングシステムによって前記コンピューティングシステムからフォームを提供して、前記コンピューティングデバイスと対話するユーザからのフォーム入力の取得を可能にすることと、
前記コンピューティングシステムと前記コンピューティングデバイスの間の音声会議及びビデオ会議のいずれかを開始することと、
前記コンピューティングデバイスのデバイスデータ、前記コンピューティングデバイスのユーザのユーザデータ、位置データ、及びインターネットプロトコル（ＩＰ）アドレスのうち少なくとも１つを、前記コンピューティングシステムへ伝達することと、
のうち少なくとも１つを含むことを特徴とする、請求項１に記載のインタラクティブな印刷出版物。
【請求項４】
前記コンピューティングデバイスと前記コンピューティングシステムの間の通信を開始することは、前記コンピューティングシステムによる前記コンピューティングデバイスへの、仮想現実（ＶＲ）、拡張現実（ＡＲ）、３６０画像、３６０ビデオ、２Ｄ画像、２Ｄビデオ、３Ｄ画像、及び３Ｄビデオコンテンツのうちの少なくとも１つの配信を含み、
前記コンピューティングシステムから受信されたＡＲコンテンツを使用して前記コンピューティングシステム上で生成されたＡＲシーンは、前記コンピューティングシステムに伝達されることを特徴とする、請求項１に記載のインタラクティブな印刷出版物。
【請求項５】
印刷出版物を提供するステップと、
複数の機械読み取り可能なコードの１つを読み取るステップと、
を含むコンテンツ通信方法であって、
前記印刷出版物は、
前記印刷出版物に印刷された複数のコンテンツセグメントと、
前記印刷出版物に印刷された前記複数の機械読み取り可能なコードと、
を含み、
前記複数の機械読み取り可能なコードはそれぞれ、前記複数のコンテンツセグメントの少なくとも１つに関連付けられ、前記複数のコンテンツセグメントの少なくとも１つに隣接して配置され、
前記複数の機械読み取り可能なコードはそれぞれ、コンピューティングデバイスによって読み取られると前記コンピューティングデバイスによって抽出可能なデータを含み、
前記複数の機械読み取り可能なコードの１つは、前記コンピューティングデバイスとコンピューティングシステムの間の通信を開始するため前記複数の機械読み取り可能なコードの１つからデータを抽出するために読み取られることを特徴とするコンテンツ通信方法。
【請求項６】
前記複数の機械読み取り可能なコードはそれぞれ、ＱＲコード（登録商標）、１Ｄバーコード、２Ｄバーコード、及び３Ｄバーコードのうちの１つであり、
前記インタラクティブな印刷出版物は、本、冊子、ポスター、及び紙の束のうちの１つであり、
前記コンピューティングデバイスは、スマートフォン、スマートタブレット、及びノートブックコンピュータのうちの１つであり、
前記複数のコンテンツセグメントはそれぞれ、言葉、図面、画像、及びグラフィックマークのうちの少なくとも１つを含むことを特徴とする、請求項５に記載のコンテンツ通信方法。
【請求項７】
前記コンピューティングデバイスと前記コンピューティングシステムの間の通信を開始することは、
前記コンピューティングデバイスによって取得されたデータの前記コンピューティングシステムへの配信と、
前記コンピューティングシステムによって前記コンピューティングシステムからフォームを提供して、前記コンピューティングデバイスと対話するユーザからのフォーム入力の取得を可能にすることと、
前記コンピューティングシステムと前記コンピューティングデバイスの間の音声会議及びビデオ会議のいずれかを開始することと、
前記コンピューティングデバイスのデバイスデータ、前記コンピューティングデバイスのユーザのユーザデータ、位置データ、及びインターネットプロトコル（ＩＰ）アドレスのうち少なくとも１つを、前記コンピューティングシステムへ伝達することと、
のうち少なくとも１つを含むことを特徴とする、請求項５に記載のコンテンツ通信方法。
【請求項８】
前記コンピューティングデバイスと前記コンピューティングシステムの間の通信を開始することは、前記コンピューティングシステムによる前記コンピューティングデバイスへの、仮想現実（ＶＲ）、拡張現実（ＡＲ）、３６０画像、３６０ビデオ、２Ｄ画像、２Ｄビデオ、３Ｄ画像、及び３Ｄビデオコンテンツのうちの少なくとも１つの配信を含み、
前記コンピューティングシステムから受信されたＡＲコンテンツを使用して前記コンピューティングシステム上で生成されたＡＲシーンは、前記コンピューティングシステムに伝達されることを特徴とする、請求項５に記載のコンテンツ通信方法。
【請求項９】
インタラクティブな印刷出版物と、
コンピューティングデバイスと、
を備えるコンテンツ通信システムであって、
前記インタラクティブな印刷出版物は、
前記インタラクティブな印刷出版物に印刷された複数のコンテンツセグメントと、
前記インタラクティブな印刷出版物に印刷された複数の機械読み取り可能なコードと、
を含み、
前記複数の機械読み取り可能なコードはそれぞれ、前記複数のコンテンツセグメントの少なくとも１つに関連付けられ、前記複数のコンテンツセグメントの少なくとも１つに隣接して配置され、
前記コンピューティングデバイスは、前記複数の機械読み取り可能なコードのうち選択された１つからデータを読み取り抽出して、前記コンピューティングデバイスとコンピューティングシステムの通信を開始することを特徴とするコンテンツ通信システム。
【国際調査報告】
2021508122.tif 000011
2021508122.tif 000012